(57)【特許請求の範囲】
【請求項１】
ゲーベルトップカートンと該ゲーベルトップカートンの胴部の上端に嵌合する被せ蓋からなり、ゲーベルトップカートンのトップリブの片面に接する垂直面で区画される前記被せ蓋の一方が直方体形状であり、他方が該ゲーベルトップカートンの屋根パネルと略同一勾配を有する底部と該ゲーベルトップカートンのトップリブの略中央相当部から該トップリブと直交する方向に突出した垂直壁を有する形状であり、かつ前記直方体と前記垂直壁の上面が連接していて同一水平面上にあることを特徴とする密封容器。
【発明の詳細な説明】
【０００１】
【発明の属する技術分野】
本発明はゲーベルトップカートンを流用した粉末洗剤用の密封容器に関する。
【０００２】
【従来の技術】
小型の粉末洗剤カートンに代表される直方体の密封容器は、防湿性、内容物の飛散防止性、使用時の天部全開性、さらに低コスト等が要求され、直方体あるいは頭部が平坦で、胴部が丸みのある密封容器等が一般に使用されている。その実用例として、図４（ａ）に示すように、胴部１１の開口端部をシール性を持たせたグラシン紙１２等でトップシールして防湿性と内容物の飛散防止性を与え、全開できるヒンジ付きの被せ蓋１３を取り付けた密封容器４０Ａを挙げることができる。
また、別の実用例として図４（ｂ）に示すように、２重の胴部の外壁パネルのみを帯状の引き裂き片１４を水平に引き裂いて取り除くことにより、胴部１１と被せ蓋部１３に分離し、直ちに中身を取り出せるようにした密封容器４０Ｂを挙げることができる。
一方において、ゲーベルトップカートンは液体紙容器として市場で定着しており、市乳、加工乳、果汁飲料、調味料、アルコール飲料等の液体類に幅広く利用されている。また固形物、顆粒状の製品等にも一部利用されている。
ゲーベルトップカートンは牛乳パックとしてのイメージが先行しているので、日本酒等の高級贈答商品向けには頭部に角状の被せ蓋を施して、容器全体を角柱状に見せるものが実用されている。
【０００３】
【発明が解決しようとする課題】
粉末洗剤は一回分の使用量が年々少なくて済むようになっており、家庭用の包装形態も次第に小型化している。
従来の粉末洗剤容器は、比較的大型のものが多く、家庭内で場所をとり、軽量、コンパクトさに欠けるという問題がある。また、密封性と易開封性を両立させるために構造的に複雑となり、包装資材の使用量が増加してコストアップを招いているという問題がある。また、初期開封までの密封性は完全に近いものであるが、一旦開封すると、蓋を閉めても密封性はなくなり、容器を倒すと中身が飛散するという問題もある。また、この中身の飛散は容器開封時にも起きるものが多い。さらに、粉末洗剤の計量のために、プラスチックのスプーンを投げ込みで添付しなければならないという問題がある。
さらにまた、従来の粉末洗剤用密封容器は初期開封手段が複雑で、老人やハンディキャップのある人には開封しにくいという問題がある。
本発明は、前述の問題点に鑑みてなされたもので、軽量、コンパクトで、必要最小限の板紙の使用で済み、また開封後もあるレベルの密封性を保持できて、倒しても粉末の飛散がなく、スプーンなしでも計量することができる経済的な容器の提供を目的とする。
【０００４】
【課題を解決するための手段】
前記課題を解決するために、ゲーベルトップカートンと該ゲーベルトップカートンの胴部の上端に嵌合する被せ蓋を組み合わせ、前記ゲーベルトップカートンのトップリブの片面に接する垂直面で区画された該被せ蓋の一方を直方体形状とし、他方を該ゲーベルトップカートンの屋根パネルと略同一勾配を有する底部と該ゲーベルトップカートンのトップリブの略中央相当部から該トップリブと直交する方向に突出した垂直壁を設けた形状となし、かつ前記直方体と前記垂直壁の上面が連接していて同一水平面上にあるように構成する。
【０００５】
【発明の実施の形態】
以下，本発明を図面を用いてさらに詳しく説明する。
図１は本発明に流用するゲーベルトップカートンの斜視図である。
図１（ａ）は成形、充填が終了したゲーベルトップカートンで、切妻屋根のトップ部は４乃至５重の板紙のトップリブ（以下単にリブと称する）が合掌シールされている。
図１（ｂ）は開封状態を示している。この開封を容易にするために、トップリブを途中まで左右に開いた状態で、予め折込み屋根パネル上方に付着されているプルタブ４を前方に引っ張るようにしてもよい。
図１（ｃ）は再封状態を示している。この図に示すように、一旦開封されたリブは、再度おり畳まれるが、図１（ａ）の状態にはもどらず、半開きの状態となっていて、倒すと内容物が飛散する恐れがある。またこの状態では密封性は全く失われる。
【０００６】
図２は、本発明による密封容器３０の斜視図である。密封容器３０はゲーベルトップカートン１０の頭部（点線でその位置を示す）に被せ蓋２０を施したものである。被せ蓋２０はゲーベルトップカートン１０の胴部１の上端部８と嵌合するように設計されている。
以下被せ蓋２０について説明する。この被せ蓋２０はゲーベルトップカートン１０のリブ３、切妻屋根部、胴部１の一部を完全に覆うように薄肉成形されたものである。その外形は、ゲーベルトップカートン１０のリブ３の片面に接する垂直面Ｍで区画された一方が角にはアールがあるが略直方体形状であり、他方が、底部９にゲーベルトップカートンの屋根パネル２と略同一勾配を有し、ゲーベルトップカートンのトップリブ３の略中央部に相当する部分からトップリブと直交する方向に垂直壁６が突出してなる形状であり、かつ直方体の上面５と垂直壁６の上面７が連接していて、同一水平面上にあるように構成されている。従って、本発明による密封容器３０はスタッキングして流通、保存させることが可能であり、物流の合理化に貢献することができる。
また、垂直壁６は先端程細くなっている。また垂直壁６は摘まみ片として利用することができる。すなわち垂直片６を指で挟んで被せ蓋２０の着脱ができ、また後述する計量時にも利用することができる。
さらに、垂直面Ｍは開封前のゲーベルトップカートンのリブの片面の位置に設けられているため、図１（ｃ）のような半開き状態のリブを図１（ａ）に近づくように矯正させる効果がある。
【０００７】
以上の被せ蓋２０の成形方法は、プラグアシストを使用する真空圧空成形法によってプラスチックシートから深絞り成形するか、あるいは射出成形法によって薄肉成形することが可能である。
プラスチック材料としては塩化ビニル、高密度ポリエチレン、ポリプロピレン、ポリエチレンテレフタレート、ポリブチレンテレフタレート、ポリスチレン等の熱可塑性樹脂の使用が可能である。
被せ蓋２０は透明なものでもよいが、酸化チタン、炭酸カルシウム等の白色粉末をブレンドして不透明あるいは乳白色にしておき、ゲーベルトップカートンの頭部を隠すようにした方が意匠的に望ましい。
【０００８】
以上の薄肉成形された被せ蓋２０の内側には、印刷あるいはシールによって目盛りが設けられ、被せ蓋２０の内側で粉末洗剤を一旦受けることにより計量することが可能である。従って計量用のスプーンを添付する必要はなくなる。
【０００９】
【実施例】
図３は実施例サンプルの製作図面である。すなわち、図３（ａ）は平面図、図３（ｂ）は正面図、図３（ｃ）は側面図をそれぞれ示している。
被せ蓋２０を図３に示すような寸法で試作した。プラスチックシートには、１ｍｍ厚の乳白塩化ビニルシートを使用し、真空圧空成形によって深絞り成形を行った。
次に成形された被せ蓋２０を予め試作しておいた、内容量１．２Ｋｇ、胴部平面寸法、８８×８５ｍｍ、板紙坪量４００ｇ／ｍ２のゲーベルトップカートン１０の頭部に装着させて実施例サンプルが得られた。
このサンプルはゲーベルトップカートン１０の単体と異なり、４段に積み重ねることができた。
また一度装着した被せ蓋２０を垂直壁６を摘むことによって容易に着脱でき、、この被せ蓋２０を利用して粉末洗剤を計量することが出来た。
さらに、被せ蓋２０を装着した状態で、容器を倒しても粉末の飛散は見られず、また密封性が改善された。
本実施例サンプルを使用して、家庭の主婦を中心とする１０人のモニターにより本発明による密封容器３０の使い勝手を中心とする調査を行ったところ、従来の密封容器に較べて設置面積が少なくて済むこと、コンパクトで片手で持てる大きさであること、また再封時の外観が美しいことから好評であった。
【００１０】
【発明の効果】
本発明によれば、ゲーベルトップカートン１０と被せ蓋２０を組み合わせることによって、コンパクトで片手でも扱え、開封後も外観が美しく保たれ、倒れても粉末の飛散がなく、開封後の密封性が改善され、計量スプーンの添付の必要がなくなる。またスタッキングが容易になることから物流の合理化、家庭内のストックスペースセービングの効果がある。さらに包装材料コストが安く、従来のゲーベルトップカートンの成形機、粉末充填機がそのまま使用でき経済的である。さらにまた、使用後は紙とプラスチックに分別でき、廃棄処理が容易である。
【図面の簡単な説明】
【図１】本発明に流用するゲーベルトップカートンの斜視図
【図２】本発明による密封容器の斜視図
【図３】実施例サンプルの製作図面
【図４】従来の密封容器説明図
【図１】
0003654987.tif 000002
【図２】
0003654987.tif 000003
【図３】
0003654987.tif 000004
【図４】
0003654987.tif 000005